(57)【要約】      （修正有）【課題】信号線毎の信号が影響しあうクロストークを防止したデータ転送を行うことができる画像形成装置を提供する。【解決手段】画像形成装置は、複数本の信号線が面状に束ねられた複数のＦＦＣ６２Ｙ〜６２Ｋが、該信号線の方向を合わせて面同士が重ね合わされた状態で配設され、該ＦＦＣ６２Ｙ〜６２Ｋの該信号線を通して、信号を送受信する画像書込制御部５７を備えている。画像書込制御部５７は、その補正データ転送制御部５７ｂが、その補正データ読出制御部５７ｂによって、露光部３３Ｙ、３３Ｍ、３３Ｃ、３３Ｋの補正データ記憶メモリ３３ａから読み出された補正データに必要な処理を施した後、調整補正データとして、該ＦＦＣ６２Ｙ〜６２Ｋ毎に送信タイミングを時分割で調整して、露光部３３Ｙ、３３Ｍ、３３Ｃ、３３Ｋのドライバ３３ｂに転送する。【選択図】図３
2014110528.tif 000002
【特許請求の範囲】
【請求項１】
複数本の信号線が面状に束ねられた複数の信号線束が、該信号線の方向を合わせて面同士が重ね合わされた状態で配設され、該信号線束の該信号線を通して、信号を送受信するデータ転送装置であって、
複数の前記信号線束を通して送信する信号の送信タイミングを該信号線束毎に調整する送信タイミング調整手段と、
前記送信タイミング調整手段による送信タイミングを、前記信号線束毎に時分割制御する送信タイミング制御手段と、
を備えていることを特徴とするデータ転送装置。
【請求項２】
前記送信タイミング制御手段は、
複数の前記信号線束に対して、所定の順序で１つの該信号線束を通した信号の送信を、前記送信タイミング調整手段に開始させると、所定の待ち時間を開けた後、次の該信号線束を通した信号の送信を、該送信タイミング調整手段に開始させる時分割制御を順次行うことを特徴とする請求項１記載のデータ転送装置。
【請求項３】
前記送信タイミング制御手段は、
複数の前記信号線束のうち、重ね合わせ方向で最も離れている２つの該信号線束に対して、前記送信タイミング調整手段に同時に信号の送信を開始させ、その後、他の信号線束に対して、予め設定した所定の順番に信号の送信を順次タイミングをずらして開始させることを特徴とする請求項１記載のデータ転送装置。
【請求項４】
前記送信タイミング制御手段は、
前記送信タイミング調整手段に、複数の前記信号線束のうち、非接触の所定数の該信号線束に対して同時に信号の送信を開始させるとともに、該所定数の信号線束毎に順次タイミングをずらして信号の送信を開始させることを特徴とする請求項１から請求項３のいずれかに記載のデータ転送装置。
【請求項５】
前記送信タイミング制御手段は、
前記送信タイミング調整手段に、全ての前記信号線束に対して同時に信号の送信を開始させ、その後、該信号線束のうち、予めクロストークの影響がある信号線束として設定されている信号線束に対して、再度、信号の送信を行なわせることを特徴とする請求項１記載のデータ転送装置。
【請求項６】
前記データ転送装置は、
複数の信号線束を通して、主データ信号と該主データ信号を補正する補正データ信号を送信し、
前記送信タイミング制御手段は、
前記送信タイミング調整手段に、前記主データ信号の送信タイミングに応じて、前記補正データ信号の送信タイミングを調整させることを特徴とする請求項１から請求項５のいずれかに記載のデータ転送装置。
【請求項７】
前記信号線束は、
フレキシブルフラットケーブルであることを特徴とする請求項１から請求項６のいずれかに記載のデータ転送装置。
【請求項８】
複数本の信号線が面状に束ねられた複数の信号線束が、該信号線の方向を合わせて面同士が重ね合わされた状態で配設され、該信号線束の該信号線を通して、補正データを複数のＬＥＤアレイに分けて送信するとともに、該ＬＥＤアレイの個々のＬＥＤの点灯制御を行う画像データを送信するデータ転送手段を備えている画像形成装置であって、
前記データ転送手段として、請求項１から請求項７のいずれかに記載のデータ転送装置を備えていることを特徴とする画像形成装置。
【請求項９】
複数本の信号線が面状に束ねられた複数の信号線束が、該信号線の方向を合わせて面同士が重ね合わされた状態で配設され、該信号線束の該信号線を通して、信号を送受信するデータ転送装置におけるデータ転送制御方法であって、
複数の前記信号線束を通して送信する信号の送信タイミングを該信号線束毎に調整する送信タイミング調整処理ステップと、
前記送信タイミング調整処理ステップによる送信タイミングを、前記信号線束毎に時分割制御する送信タイミング制御処理ステップと、
を有していることを特徴とするデータ転送制御方法。
【請求項１０】
複数本の信号線が面状に束ねられた複数の信号線束が、該信号線の方向を合わせて面同士が重ね合わされた状態で配設され、該信号線束の該信号線を通して、信号を送受信するデータ転送装置の搭載するデータ転送制御プログラムであって、
制御プロセッサに、
複数の前記信号線束を通して送信する信号の送信タイミングを該信号線束毎に調整する送信タイミング調整処理と、
前記送信タイミング調整処理による送信タイミングを、前記信号線束毎に時分割制御する送信タイミング制御処理と、
を実行させることを特徴とするデータ転送制御プログラム。
【発明の詳細な説明】
【技術分野】
【０００１】
本発明は、データ転送装置、画像形成装置、データ転送制御方法及びデータ転送制御プログラムに関し、詳細には、信号線毎の信号が影響しあうクロストークを防止したデータ転送を行うデータ転送装置、画像形成装置、データ転送制御方法及びデータ転送制御プログラムに関する。
【背景技術】
【０００２】
複写装置、ファクシミリ装置、プリンタ装置等の画像形成装置やスキャナ装置等の画像読読取装置を含む画像処理装置及びコンピュータやその他の家庭電気製品等の電子機器においては、小型化に伴って内部の基板間をＦＦＣ（Flexible Flat Cable：フレキシブルフラットケーブル）を用いて接続することが多くなってきており、ＦＦＣは、現在の小型化された電子機器において、その薄さと耐屈曲性が機器の小型化に大きく貢献している。
【０００３】
特に、電子写真方式の画像形成装置においては、例えば、電子写真の光源としてＬＥＤ（Light Emitting Diode）ヘッドとして、複数のＬＥＤが列状に配列されたＬＥＤアレイを複数主走査方向に配列したものが用いられることが多いが、この場合、制御基板と各ＬＥＤアレイとを接続するのに、ＦＦＣが用いられている。そして、制御基板と各ＬＥＤアレイとを接続するＬＥＤアレイの数に対応した数のＦＦＣは、ＬＥＤアレイの配置位置が上述のように主走査方向に並んで配置されており、また、ＦＦＣは、折り数が増えると加工費用が発生するから、ＦＦＣの配回しを効率的で安価に行って装置の小型化、低価格化を図るために、各ＦＦＣの対応するＬＥＤアレイの配置位置まで、それぞれのＦＦＣが重なり合わされた状態で這い回されている（特許文献１等参照）。
【０００４】
また、近年、電子機器は、高速化、高精度化、例えば、画像処理装置においては、画像形成速度、画像読読取速度及び画像処理速度の高速化、高精細化が要望され、高速化に伴って、データ転送速度も高速化してきている。
【発明の概要】
【発明が解決しようとする課題】
【０００５】
しかしながら、上記従来技術にあっては、ＦＦＣが重ねて這い回されているため、クロストークによるデータ転送上の問題があった。
【０００６】
すなわち、重ねて這い回されたＦＦＣは、信号の転送時に、クロストークという問題が発生する。クロストークとは、信号がワイヤに沿って流される（ドライブされる）たびに、ワイヤの周囲に磁界が生じ２本のワイヤが相互に近接して配置されていると、２つのワイヤの周囲に発生する磁界が相互に作用し合い、２つのワイヤを流れる信号間にエネルギーのクロス結合が生じる現状である。
【０００７】
ＦＦＣは、このクロストークが発生すると、ＦＦＣを流れる信号に影響が発生して、正確なデータ転送を行う上で、支障が発生する。
【０００８】
特に、上述のように、電子写真方式の画像形成装置において、ＬＥＤアレイと制御基板をＦＦＣで接続している場合、通常、ＬＥＤアレイは、ＬＥＤアレイの搭載されている露光ヘッドに、各ＬＥＤ間のバラツキを補正する補正データを記憶するメモリを搭載している。そして、画像形成装置は、制御基板からＬＥＤに点灯信号を送信する際には、各ＬＥＤ間のバラツキを補正する補正データを印刷前に同時に転送しており、補正データが正確に転送できていないと、各ＬＥＤ間のバラツキを補正することができず、画像に縦スジ帯等の不具合画像が発生するという問題があった。
【０００９】
そこで、本発明は、複数の信号線が平面状に配置されている信号線束を複数重ね合わせて信号転送を行う場合のクロストークの影響を防止して、正確な信号転送を行うことを目的としている。
【課題を解決するための手段】
【００１０】
上記目的を達成するために、請求項１記載のデータ転送装置は、複数本の信号線が面状に束ねられた複数の信号線束が、該信号線の方向を合わせて面同士が重ね合わされた状態で配設され、該信号線束の該信号線を通して、信号を送受信するデータ転送装置であって、複数の前記信号線束を通して送信する信号の送信タイミングを該信号線束毎に調整する送信タイミング調整手段と、前記送信タイミング調整手段による送信タイミングを、前記信号線束毎に時分割制御する送信タイミング制御手段と、を備えていることを特徴としている。
【発明の効果】
【００１１】
本発明によれば、複数の信号線が平面状に配置されている信号線束を複数重ね合わせて信号転送を行う場合のクロストークの影響を防止して、正確な信号転送を行うことができる。
【図面の簡単な説明】
【００１２】
【図１】本発明の一実施例を適用した画像形成装置の要部概略構成図。
【図２】画像形成装置の概略ブロック構成図。
【図３】画像書込制御部と露光部のブロック構成図。
【図４】画像形成装置の要部斜視図。
【図５】板金ボックスの裏面図。
【図６】画像形成装置の要部側面図。
【図７】重なり合っているＦＦＣを流れる信号等の説明図。
【図８】データ信号におけるクロストーク発生の説明図。
【図９】データ転送制御処理を示すフローチャート。
【図１０】最も離れた色を同時に転送するデータ転送制御処理を示すフローチャート。
【図１１】２色ずつ同時に転送するデータ転送制御処理を示すフローチャート。
【図１２】全色同時及びクロストークを受けやすい１色を再転送するデータ転送制御処理を示すフローチャート。
【図１３】中間転写ベルトを用いた画像形成装置の要部概略構成図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１３は、本発明のデータ転送装置、画像形成装置、データ転送制御方法及びデータ転送制御プログラムの一実施例を示す図であり、図１は、本発明のデータ転送装置、画像形成装置、データ転送制御方法及びデータ転送制御プログラムの一実施例を適用した画像形成装置１の要部概略構成図である。
【００１５】
図１において、画像形成装置１は、図示しない本体筐体内に、給紙部１０、搬送ベルト機構部２０、搬送ベルト機構部２０に沿って配設されたイエロー（Ｙ）、マゼンタ（Ｍ）、シアン（Ｃ）及びブラック（Ｋ）の各色の画像形成部３０Ｙ、３０Ｍ、３０Ｃ、３０Ｋ及び定着部４０等を備えている。画像形成装置1は、上記の他に、図示しないが、モータ及びモータにより駆動される各部に駆動源を伝達する駆動機構部、操作表示部５４（図２参照）等を備えている。
【００１６】
給紙部１０は、給紙カセット１１、給紙ローラ１２、分離ローラ１３及び図示しないレジストローラ等を備えている。給紙部１０は、給紙カセット１１内の用紙（被記録媒体）Ｐを、給紙ローラ１２と分離ローラ１３により１枚ずつ分離して、レジストローラに送り出す。給紙部１０は、レジストローラが、給紙カセット１１から送られてきた用紙Ｐのタイミング調整を行って、用紙Ｐを所定のタイミングで搬送ベルト機構部２０に送り出す。
【００１７】
搬送ベルト機構部２０は、搬送ベルト２１、駆動ローラ２２、従動ローラ２３及びガイド板２４等を備えており、搬送ベルト２１は、無端リング状のベルトであって、駆動ローラ２２と従動ローラ２３に張り渡されている。搬送ベルト機構部２０は、駆動ローラ２２が、図示しない制御部の制御下で図外のモータ等の駆動機構により回転駆動されることにより、図１に矢印で示す反時計方向に回転駆動される。搬送ベルト機構部２０は、駆動ローラ２２が反時計方向に回転駆動されることで、搬送ベルト２１が、給紙部１０から送り出されてきてガイド板２４によって搬送ベルト２１へとガイドされた用紙Ｐを、各色の画像形成部３０Ｙ、３０Ｍ、３０Ｃ、３０Ｋに順次搬送する。搬送ベルト機構部２０は、搬送される用紙Ｐに各色の画像形成部３０Ｙ、３０Ｍ、３０Ｃ、３０Ｋで、それぞれイエロートナー画像、マゼンタトナー画像、シアントナー画像及びブラックトナー画像が順次用紙Ｐに重ね合わされて転写されてカラートナー画像が形成される。
【００１８】
各色の画像形成部（画像形成手段）３０Ｙ、３０Ｍ、３０Ｃ、３０Ｋは、感光体３１Ｙ、３１Ｍ、３１Ｃ、３１Ｋが搬送ベルト２１の搬送方向に沿って所定間隔で配設されている。各色の画像形成部３０Ｙ、３０Ｍ、３０Ｃ、３０Ｋは、それぞれ感光体３１Ｙ、３１Ｍ、３１Ｃ、３１Ｋの周囲に、帯電部３２Ｙ、３２Ｍ、３２Ｃ、３２Ｋ、露光部３３Ｙ、３３Ｍ、３３Ｃ、３３Ｋ、現像部３４Ｙ、３４Ｍ、３４Ｃ、３４Ｋ、転写部３５Ｙ、３５Ｍ、３５Ｃ、３５Ｋ、クリーニング部３６Ｙ、３６Ｍ、３６Ｃ、３６Ｋ及び図示しない除電部等が配設されている。
【００１９】
各画像形成部３０Ｙ、３０Ｍ、３０Ｃ、３０Ｋは、図外の駆動機構により図１中時計方向に回転駆動される感光体３１Ｙ、３１Ｍ、３１Ｃ、３１Ｋを、帯電部３２Ｙ、３２Ｍ、３２Ｃ、３２Ｋで一様に帯電させる。画像形成部３０Ｙ、３０Ｍ、３０Ｃ、３０Ｋは、露光部３３Ｙ、３３Ｍ、３３Ｃ、３３Ｋから、各色の画像データで変調された書込光が、一様に帯電されている感光体３１Ｙ、３１Ｍ、３１Ｃ、３１Ｋに照射されて静電潜像が形成される。画像形成部３０Ｙ、３０Ｍ、３０Ｃ、３０Ｋは、該静電潜像の形成された感光体３１Ｙ、３１Ｍ、３１Ｃ、３１Ｋに、現像部３４Ｙ、３４Ｍ、３４Ｃ、３４Ｋで、それぞれＹＭＣＫの各色のトナーを付着させて、各色のトナー画像を形成する。そして、画像形成部３０Ｙ、３０Ｍ、３０Ｃ、３０Ｋは、搬送ベルト２１と感光体３１Ｙ、３１Ｍ、３１Ｃ、３１Ｋとの間に上記用紙Ｐが搬送されると、搬送ベルト２１の背面に配設された転写部３５Ｙ、３５Ｍ、３５Ｃ、３５Ｋが、転写電位を付与して、感光体３１Ｙ、３１Ｍ、３１Ｃ、３１Ｋ上のＹＭＣＫ各色のトナー画像を順次用紙Ｐに重ねて転写させる。トナー画像の転写の完了した感光体３１Ｙ、３１Ｍ、３１Ｃ、３１Ｋは、クリーニング部３６Ｙ、３６Ｍ、３６Ｃ、３６Ｋで残留トナーがクリーニングされ、除電部で除電された後、再度、帯電部３２Ｙ、３２Ｍ、３２Ｃ、３２Ｋで帯電されて、次の画像形成動作に供される。
【００２０】
上述のようにしてＹＭＣＫの各色のトナー画像が順次重ね合わされて転写されてカラー画像の形成された用紙Ｐは、静電的に搬送ベルト２１に吸着された状態で、搬送ベルト２１によりさらに搬送されて、駆動ローラ２２部分で搬送ベルト２１から分離されて、定着部４０に搬送される。
【００２１】
定着部４０は、定着ローラ４１、加圧ローラ４２及び図示しないサーミスタ、サーモスタットや定着ヒータ等を備えている。定着ローラ４１と加圧ローラ４２は、所定の押圧力で押圧されて、一方が回転駆動されることにより、他方が連れ回りする。定着ローラ４１は、通電されることでその通電量に応じた温度に定着ローラ４１を加熱する定着ヒータが内蔵されていて、該定着ヒータへの通電量が制御されることで、所定の定着温度に加熱制御される。
【００２２】
定着部４０は、ＹＭＣＫの各色が重ね合わされたカラートナー画像が転写されて、搬送ベルト２１により搬送されてきた用紙Ｐを定着ローラ４１と加圧ローラ４２で加熱・加圧しつつ搬送することで、カラートナー画像を用紙Ｐに定着させ図示しない排紙トレイ上に排出する。
【００２３】
サーミスタは、定着ローラ４１の近傍に配設され、定着ローラ４１の表面温度を検出して、アナログの電圧値の検出温度信号を出力する。サーモスタットは、定着ローラ４１の近傍であって、定着ヒータへの電力線に接続されており、所定の遮断温度以上に上昇すると、オフとなって、定着ヒータへの通電を遮断する。
【００２４】
上記露光部３３Ｙ、３３Ｍ、３３Ｃ、３３Ｋは、例えば、それぞれＹＭＣＫ各色用のＬＥＤアレイヘッドを備えている。各色用のＬＥＤアレイヘッドは、それぞれＹＭＣＫ各色の画像データに応じてＬＥＤが点灯制御されることで、感光体３１Ｙ、３１Ｍ、３１Ｃ、３１Ｋに書込光を照射する。
【００２５】
そして、画像形成装置１は、図２に示すようにブロック構成されており、制御部５０、コンピュータインターフェイス部５１、作像プロセス部５２、ＣＴＬ５３、操作表示部５４、プリントジョブ管理部５５、上記定着部４０、画像読読取部５６、画像書込制御部５７、ラインメモリ５８及び記憶部５９等を備えている。
【００２６】
制御部５０は、画像形成装置１の各部を制御して、画像形成装置１としての基本機能を実行するとともに、本発明の画像形成制御処理を実行する。制御部５０は、例えば、ＣＰＵ（Central Processing Unit ）、ＲＯＭ（Read Only Memory）、ＲＡＭ（Random Access Memory）等を備え、ＲＯＭ内に、画像形成装置１としての基本プログラムと後述するデータ転送制御プログラム及びこれらの各種プログラムを実行するのに必要な各種データが予め格納されている。制御部５０は、ＣＰＵが、ＲＯＭ内のプログラムに基づいて、ＲＡＭをワークメモリとして利用して、画像形成装置１の各部を制御して画像形成装置１としての基本処理を実行するとともに、後述する本発明のデータ転送制御処理を実行する。
【００２７】
コンピュータインターフェイス部５１は、ネットワークを介して画像形成装置１に印刷要求と印刷データを送信するコンピュータ等の情報処理装置との間で通信を行う。
【００２８】
作像プロセス部５２は、上記給紙部１０、搬送ベルト機構部２０、搬送ベルト機構部２０に沿って配設されたイエロー（Ｙ）、マゼンタ（Ｍ）、シアン（Ｃ）及びブラック（Ｋ）の各色の画像形成部３０Ｙ、３０Ｍ、３０Ｃ、３０Ｋ等で構成され、制御部５０の制御下で、上記電子写真方式によって用紙Ｐに画像を印刷出力する。
【００２９】
ＣＴＬ５３は、上記ネットワーク等を介して情報処理装置から送信されてきた画像データや画像読読取部５６で読み取られた画像データを制御部５０に渡して、画像形成要求を行う。
【００３０】
操作表示部５４は、画像形成装置１に印刷処理を行わせるための各種操作を行う各種操作キーを備えるとともに、ディスプレイ（例えば、液晶ディスプレイ）を備えている。操作表示部５４は、操作キーから、印刷部数等の画像形成装置１を動作させるのに必要な各種命令が入力操作され、ディスプレイに、操作キーで入力された各種命令内容や画像形成装置１から利用者（乗客）に通知する各種情報を表示する。そして、操作表示部５４は、操作内容を制御部５０に出力し、また、制御部５０の制御下で、ディスプレイに上記各種情報を表示する。
【００３１】
プリントジョブ管理部５５は、画像形成装置１に要求される印刷要求と印刷データを印刷ジョブとして受け付けて該印刷ジョブの順番等を管理し、印刷実行管理を行う。
【００３２】
定着部４０は、上述のように、作像プロセス部５２でトナー画像の転写された用紙Ｐを加熱・加圧しつつ搬送して、トナー画像を用紙Ｐに定着させる。
【００３３】
画像読読取部５６は、例えば、ＣＣＤ(Charge Coupled Device）を利用したラインイメージセンサ等が用いられており、一般にＡＤＦ（Auto Document Feeder）を備えている。ＡＤＦには、複数枚の原稿がセットされ、ＡＤＦは、セットされた原稿を１枚ずつ画像読読取部５６の原稿読取位置に送給する。画像読読取部５６は、ＡＤＦから搬送されてきた原稿を走査し、原稿の画像を所定の解像度で読み取って、制御部５０に出力する。
【００３４】
画像書込制御部５７は、ＣＴＬ５３から送信された画像データを、作像プロセス部５２の露光部３３Ｙ、３３Ｍ、３３Ｃ、３３Ｋの各ＬＥＤアレイヘッドに設けられているＬＥＤを発光させるための露光信号に変換し、ＬＥＤアレイヘッドの各ＬＥＤを個別に点灯制御する。
【００３５】
この画像書込制御部（データ転送装置）５７は、後述するように、露光部３３Ｙ、３３Ｍ、３３Ｃ、３３Ｋの各ＬＥＤアレイヘッドへの画像データ及び補正データ等の信号の転送を制御して、ＦＦＣ６２Ｙ〜６２Ｋ（図４及び図６参照）におけるクロストークの影響を防止した正確なデータ転送を行うデータ転送制御装置として機能している。
【００３６】
ラインメモリ５８は、ＣＴＬ５３から送信されてきた画像データを、ライン単位で一時的に格納するバッファであり、画像書込制御部５７によって、画像処理におけるスキュー量を調整するのに使用される。
【００３７】
記憶部５９は、不揮発性メモリ等で構成され、画像形成装置１を動作させるためのパラメータ等を記憶する。
【００３８】
そして、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読読取可能な記録媒体に記録されている本発明のデータ転送制御方法を実行するデータ転送制御プログラムを読み込んでＲＯＭ等に導入することで、画像書込制御部５７から露光部３３Ｙ、３３Ｍ、３３Ｃ、３３Ｋの各ＬＥＤアレイヘッドへの信号（画像データ及び補正データ等）の送信制御を行なって、後述するＦＦＣ６２Ｙ〜６２Ｋにおけるクロストークの影響を防止した正確なデータ転送を行うデータ転送制御方法を実行するデータ転送制御装置としての画像書込制御部５７を搭載した画像形成装置として構築されている。このデータ転送制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３９】
そして、画像書込制御部５７は、図３に示すように、補正データ転送制御部５７ａと補正データ読出制御部５７ｂを備え、露光部３３Ｙ、３３Ｍ、３３Ｃ、３３Ｋは、上述のように、少なくとも各色Ｙ、Ｍ、Ｃ、Ｋ用のＬＥＤアレイヘッドを備えているとともに、それぞれ補正データ記憶メモリ３３ａ及びドライバ３３ｂを搭載している。この露光部３３Ｙ、３３Ｍ、３３Ｃ、３３ＫのＬＥＤアレイヘッドと画像書込制御部５７は、ＦＦＣ６２Ｙ〜６２Ｋ（図４から図６参照）によって接続されている。
【００４０】
各色の露光部３３Ｙ、３３Ｍ、３３Ｃ、３３Ｋに搭載されている補正データ記憶メモリ３３ａは、ＮＶＲＡＭ（Non-Volatile Random Access Memory）等の不揮発性メモリで構成され、露光部３３Ｙ、３３Ｍ、３３Ｃ、３３Ｋの各ＬＥＤアレイヘッドにおける各ＬＥＤの個体差を補正する補正データが格納されている。補正データ記憶メモリ３３ａは、補正データとともに、該補正データを画像書込制御部５７に転送した際の転送エラーの有無を検出するための転送チェック用データ、例えば、パリティ情報、チェックサム情報等が格納されている。
【００４１】
画像書込制御部５７の補正データ読出制御部５７ｂは、露光前に、ＦＦＣ６２Ｙ〜６２Ｋを通して、露光部３３Ｙ、３３Ｍ、３３Ｃ、３３Ｋの補正データ記憶メモリ３３ａから補正データを転送チェック用データとともに読み出し、補正データを正確に読み出せたかを転送チェック用データに基づいて確認する。
【００４２】
画像読出制御部５７ｂは、補正データを正確に読み出せると、読み出した補正データを補正データ転送制御部５７ａに渡す。
【００４３】
補正データ転送制御部（送信タイミング調整手段、送信タイミング制御手段）５７ａは、画像データ読出制御部５７ｂが読み出した補正データに対して、ＬＥＤアレイヘッドのＬＥＤ配列等に合わせた補正データとするための配列変換処理や画像調整処理等の処理を実施して調整補正データを生成し、生成した調整補正データを、ＦＦＣ６２Ｙ〜６２Ｋを通して、露光部３３Ｙ、３３Ｍ、３３Ｃ、３３Ｋのドライバ３３ｂに転送する。
【００４４】
ドライバ３３ｂは、画像書込制御部５７からＦＦＣ６２Ｙ〜６２Ｋを通して転送されてきた調整補正データを、不揮発性メモリ等に保管する。ドライバ３３ｂは、その後に、画像書込制御部５７からＦＦＣ６２Ｙ〜６２Ｋを通して転送されてくる画像信号を調整補正データに基づいて各ＬＥＤアレイヘッドのＬＥＤ毎に補正して、ＬＥＤを個別に点灯／消灯駆動制御する。
【００４５】
そして、露光部３３Ｙ、３３Ｍ、３３Ｃ、３３Ｋは、調整補正データが正確に転送されてきたか否かをチェックするチェック部を備えていない。すなわち、露光部３３Ｙ、３３Ｍ、３３Ｃ、３３Ｋは、価格を抑えるためと、スペースの問題から、データ転送の適否をチェックするチェック部が設けられていない。そのため、露光部３３Ｙ、３３Ｍ、３３Ｃ、３３Ｋは、補正データ転送制御部５７ａからＦＦＣを通して転送されてきた調整補正データが正確に転送されてきたか否かをチェックすることができない。
【００４６】
したがって、画像形成装置１は、画像書込制御部５７の補正データ転送制御部５７ａから露光部３３Ｙ、３３Ｍ、３３Ｃ、３３Ｋへ、ＦＦＣ６２Ｙ〜６２Ｋを通して調整補正データを転送する際には、正確にデータ転送されるように十分に対策が取られていることが重要である。すなわち、調整補正データに転送誤りが発生すると、露光部３３Ｙ、３３Ｍ、３３Ｃ、３３Ｋのドライバ３３ｂは、誤りの存在している調整補正データにより画像信号を補正して、ＬＥＤの点灯制御を行うこととなり、縦スジ、縦帯という形で露光された画像に異常が発生する。
【００４７】
そこで、画像形成装置１は、後述するように、画像書込制御部５７から露光部３３Ｙ、３３Ｍ、３３Ｃ、３３Ｋへの調整補正データの転送を、タイミング制御することで、ＦＦＣ６２Ｙ〜６２Ｋで発生するクロストークを抑制して、データ転送、特に、調整補正データの転送精度を向上させる。
【００４８】
そして、画像形成装置１は、上記制御部５０、コンピュータインターフェイス部５１、作像プロセス部５２、ＣＴＬ５３、プリントジョブ管理部５５、画像書込制御部５７、ラインメモリ５８及び記憶部５９等が、図４から図６に示す画像形成装置１の板金ボックス６０内の制御基板６１に搭載されている。
【００４９】
この制御基板６１に搭載されている画像書込制御部５７は、図４から図６に示すＦＦＣ（信号線束）６２Ｙ、６２Ｍ、６２Ｃ、６２Ｋによって、それぞれ露光部３３Ｙ、３３Ｍ、３３Ｃ、３３ＫのＬＥＤアレイヘッド３３Ｙｌ、３３Ｍｌ、３３Ｃｌ、３３Ｋｌと接続されている。
【００５０】
各ＬＥＤアレイヘッド３３Ｙｌ、３３Ｍｌ、３３Ｃｌ、３３Ｋｌは、各色の画像データに基づいてそれぞれ変調された露光信号（画像信号）が入力されることで、各ＬＥＤアレイヘッド３３Ｙｌ、３３Ｍｌ、３３Ｃｌ、３３Ｋｌを構成する複数のＬＥＤが点灯／消灯して、図示しない各色に対応する感光体にそれぞれ書込光を照射して、感光体３１Ｙ、３１Ｍ、３１Ｃ、３１Ｋ上に静電潜像を形成する。
【００５１】
ＬＥＤアレイヘッド３３Ｙｌ、３３Ｍｌ、３３Ｃｌ、３３Ｋｌは、画像形成装置１の主走査方向の両端位置に縦方向に配設されている一対の側板６３ａ、６３ｂに取り付けられており、側板６３ａ、６３ｂは、その下端部が底板金６４に固定されている。なお、この側板６３ａ、６３ｂと底板金６４は、一体成型されていてもよい。
【００５２】
また、側板６３ａ、６３ｂ及び底板金６４は、図４の左側の側端部に配設されている板金ボックス６０に連結されており、板金ボックス６０は、中空の箱形状に形成されている。上記側板６３ａ、６３ｂ、底板金６４及び板金ボックス６０は、導電性を有する部材で形成されており、図示しない接地コード等によって接地（ＧＮＤに接続）されている。
【００５３】
板金ボックス６０は、その内部に、上記制御基板６１が収納されており、制御基板６１は、板金ボックス６０との間にスペーサを挟んで絶縁された状態で、取付具６５によって板金ボックス６０に取り付けられている。
【００５４】
この制御基板６１と各ＬＥＤアレイヘッド３３Ｙｌ、３３Ｍｌ、３３Ｃｌ、３３Ｋｌ、特に、制御基板６１に搭載されている画像書込制御部５７とＬＥＤアレイヘッド３３Ｙｌ、３３Ｍｌ、３３Ｃｌ、３３Ｋｌとは、それぞれＦＦＣ（通信線束）６２Ｙ、６２Ｍ、６２Ｃ、６２Ｋで接続されており、制御基板６１は、４本のＦＦＣ６２Ｙ、６２Ｍ、６２Ｃ、６２Ｋを通して各色用の露光信号を、対応するＬＥＤアレイヘッド３３Ｙｌ、３３Ｍｌ、３３Ｃｌ、３３Ｋｌに出力する。なお、４本のＦＦＣ６２Ｙ、６２Ｍ、６２Ｃ、６２Ｋは、板金ボックス６０の上面に形成されている開口部６０ａを通して、板金ボックス６０内に引き込まれている。ＦＦＣ６２Ｙ〜６２Ｋは、複数本の信号線が平面上に束ねられた信号線束となっている。
【００５５】
４本のＦＦＣ６２Ｙ、６２Ｍ、６２Ｃ、６２Ｋは、図５及び図６に示すように、コネクタ６６ａ〜６６ｄによって制御基板６１に接続されており、コネクタ６６ａ〜６６ｄ近傍において、４本のＦＦＣ６２Ｙ、６２Ｍ、６２Ｃ、６２Ｋを束ねるようにしてシールドシート６７が巻かれている。
【００５６】
ＦＦＣ６２Ｙ、６２Ｍ、６２Ｃ、６２Ｋは、このシールドシート６７とともに、導電性テープ６８が巻きつけられており、導電性テープ６８は、接地部材６９に接触保持されているとともに、接地部材６９が板金ボックス６０に固定されることで、接地されている板金ボックス６０に接続されて、接地状態となっている。
【００５７】
そして、ＦＦＣ６２Ｙ、６２Ｍ、６２Ｃ、６２Ｋは、所定幅を有した面形状を有しており、図４及び図６に示すように、対応するＬＥＤアレイヘッド３３Ｙｌ、３３Ｍｌ、３３Ｃｌ、３３Ｋｌに接続するために分岐するまでは、その面が重なり合う状態で配設されている。
【００５８】
次に、本実施例の作用を説明する。本実施例の画像形成装置１は、複数の信号線が平面状に配置されている信号線束であるＦＦＣ６２Ｙ〜６２Ｋを複数重ね合わせて信号転送を行う場合のクロストークの影響を防止して、正確な信号転送を行う。
【００５９】
すなわち、画像形成装置１は、上述のように、ＦＦＣ６２Ｙ、６２Ｍ、６２Ｃ、６２Ｋが、所定幅を有した面形状を有しており、図４及び図６に示したように、対応するＬＥＤアレイヘッド３３Ｙｌ、３３Ｍｌ、３３Ｃｌ、３３Ｋｌに接続するために分岐するまでは、その面が重なり合う状態で配設されている。
【００６０】
したがって、画像形成装置１は、制御基板６１に搭載されている画像書込制御部５７から露光部３３Ｙ、３３Ｍ、３３Ｃ、３３Ｋの各ＬＥＤアレイヘッド３３Ｙｌ、３３Ｍｌ、３３Ｃｌ、３３Ｋｌへ、図７に示すように、各色のデータ、制御信号、クロックＣＬＫ、及び電源等を、ＦＦＣ６２Ｍ〜６２Ｋを通して送信する。また、画像形成装置１は、各色のＬＥＤアレイヘッド３３Ｙｌ、３３Ｍｌ、３３Ｃｌ、３３Ｋｌとして、同一の仕様のものが用いられており、ピンアサインも同一である。したがって、重ね合わされたＦＦＣ６２Ｍ〜６２Ｋは、同種の信号が、図７に示したように、重なり合って、感光体３１Ｙ、３１Ｍ、３１Ｃ、３１Ｋへの静電潜像の形成タイミングに応じて流れる。
【００６１】
そして、このＦＦＣ６２Ｍ〜６２Ｋは、制御基板６１から各ＬＥＤアレイヘッド３３Ｙｌ、３３Ｍｌ、３３Ｃｌ、３３Ｋｌへと接続されるまでの間、途中分岐するまでは、図４及び図６に示したように、重なり合った状態で配設されている。
【００６２】
いま、ＦＦＣ６２Ｍ〜６２Ｋは、図４及び図６に示したように、ＦＦＣ６２Ｍが、両面をＦＦＣ６２ＹとＦＦＣ６２Ｃに最も長く挟まれた状態の両サイド長距離両面接触ＦＦＣ、ＦＦＣ６２Ｃが、片面全面に位置するＦＦＣ６２Ｍと反対面に短く位置するＦＦＣ６２Ｋとで挟まれた状態の片サイド長距離両面接触ＦＦＣ、ＦＦＣ６２Ｙが、片面にのみＦＦＣ６２Ｍが長く位置する長距離片面接触ＦＦＣ、ＦＦＣ６２Ｋが、片面全面にＦＦＣ６２Ｃが位置する短距離片面接触ＦＦＣとなっている。
【００６３】
また、上述のように、一般的に、クロストークは、ＦＦＣ６２Ｍ〜６２Ｋを流れる信号電流の大きい方のＦＦＣ６２Ｍ〜６２Ｋが、影響を与える側、信号電流の小さい方のＦＦＣ６２Ｍ〜６２Ｋが影響を受ける側となりやすい。そして、データバスを有する電子部品においては、データバスのドライブ能力が他の制御信号よりも高く設定されている。特に、オーバーシュート／アンダーシュート等の各種タイミング規格を満たす必要があるため、ダンピング抵抗等をチューニングすることで、データ信号の信号電流が最も小さくなることが多く、データ信号である露光信号（画像信号）が最もクロストークの影響を受けやすくなっている。
【００６４】
さらに、画像形成装置１は、制御基板６１から各ＬＥＤアレイヘッド３３Ｙｌ、３３Ｍｌ、３３Ｃｌ、３３Ｋｌへ、同時にデータ転送した場合、各種制御信号においては、タイミングがほぼ同じタイミングで遷移するため、相互に影響を受け難いが、データ信号においては、遷移タイミングがそれぞれで異なるため、クロストークが発生しやすい。
【００６５】
例えば、図８において、ＦＦＣ６２Ｍを流れるデータ信号Ｓｍが、「０」であるタイミングｔ１において、ＦＦＣ６２Ｍを挟んでいるＦＦＣ６２Ｃを流れるデータ信号ＳｃとＦＦＣ６２Ｙを流れるデータ信号Ｓｙが同時にスレッシュ値を超えて「１」に立ち上がると、ＦＦＣ６２ＣとＦＦＣ６２Ｙに挟まれているＦＦＣ６２Ｍを流れるデータ信号Ｓｍが、クロストークの影響を受けて、電圧レベルが持ち上がる。ＦＦＣ６２Ｍを流れるデータ信号Ｓｍは、クロストークの影響によって、立ち上がった電圧レベルがスレッシュ値を超えると、ＬＥＤアレイヘッド３３Ｍｌにおいて「１」と認識され、誤ったデータ転送が発生する。
【００６６】
そして、本実施例の場合、画像形成装置１は、上述のように、ＦＦＣ６２Ｍが、両面をＦＦＣ６２ＹとＦＦＣ６２Ｃに最も長く挟まれた状態の両サイド長距離両面接触ＦＦＣとなっているため、最もクロストークを受けやすいＦＦＣとなっている。
【００６７】
なお、画像形成装置１は、ＦＦＣ６２Ｙ〜６２Ｋを通して、補正データ及び調整補正データ以外にも画像信号も転送される。ところが、画像信号は信号内容及びタイミングがその都度異なるため、たとえクロストークが発生して１ｂｉｔ単位でデータが変化しても、１ｂｉｔの画像に変化が発生するのみであり、視覚的に問題となる異常画像とはならない。
【００６８】
ところが、補正データ及び調整補正データは、１ｂｉｔであってもデータを正確に転送することができないと、その異常な調整補正データに基づいて画像を補正するため、形成画像に縦スジ／帯が発生し、視覚的に明確な異常画像となる。
【００６９】
そこで、本実施例の画像形成装置１は、画像書込制御部５７の補正データ転送制御部５７ａから各ＬＥＤアレイヘッド３３Ｙｌ、３３Ｍｌ、３３Ｃｌ、３３Ｋｌへの調整補正データの転送を、ＦＦＣ６２Ｙ〜６２Ｋ毎に、その転送タイミングをずらして実行する。すなわち、補正データ転送制御部５７ａは、ＦＦＣ６２Ｙ〜６２Ｋを通して転送する調整補正データの転送タイミングをずらすことで、ＦＦＣ６２Ｙ〜６２Ｋ相互におけるクロストークの影響を抑制し、正確な調整補正データのデータ転送を行う。
【００７０】
すなわち、画像書込制御部５７の補正データ転送制御部５７ａは、図９に示すように、調整補正データの転送タイミングになると、各色毎にデータ転送を行うために、まず、予め設定されている転送順序の１番目に設定されている色の調整補正データを、該色に対応するＦＦＣ６２Ｙ〜６２Ｋを通して、該色のＬＥＤアレイヘッド３３Ｙｌ、３３Ｍｌ、３３Ｃｌ、３３Ｋｌに転送する(ステップＳ１０１）。
【００７１】
補正データ転送制御部５７ａは、１つの色の調整補正データの転送を開始すると、調整補正データ転送時間だけ待ち（ウェイトし）（ステップＳ１０２）、全ての色の調整補正データの転送が完了したかチェックする（ステップＳ１０３）。この調整補正データ転送時間は、調整補正データのデータ量によって変化する任意の時間である。
【００７２】
補正データ転送制御部５７ａは、ステップＳ１０３で、全色の調整補正データの転送が終了していないとき（ステップＳ１０３で、ＮＯのとき）には、ステップＳ１０１に戻って、次の色の調整補正データについて、上記同様にデータ転送制御処理を行う（ステップＳ１０１〜Ｓ１０３）。
【００７３】
補正データ転送制御部５７ａは、ステップＳ１０３で、全色の調整補正データの転送が終了すると（ステップＳ１０３で、ＹＥＳのとき）、データ転送制御処理を終了する。
【００７４】
したがって、補正データ転送制御部５７ａは、各色別々に調整補正データをＦＦＣ６２Ｙ〜６２Ｋを通して、対応するＬＥＤアレイヘッド３３Ｙｌ、３３Ｍｌ、３３Ｃｌ、３３Ｋｌへ転送することができ、ＦＦＣ６２Ｙ〜６２Ｋ相互間のクロストークの影響を適切に防止して、正確なデータ転送を行うことができる。
【００７５】
また、データ転送制御処理は、色毎に順番に転送タイミングをずらして実行する処理に限るものではない。例えば、図１０に示すように、重ね合わされたＦＦＣ６２Ｙ〜６２Ｋのうち、最も離れているＦＦＣ６２ＹとＦＦＣ６２Ｍを通して調整補正データを同時に転送し、その後、ＦＦＣ６２Ｃ、ＦＦＣ６２Ｍを通して、順番にタイミングをずらして転送してもよい。
【００７６】
すなわち、補正データ転送制御部５７ａは、図１０に示すように、調整補正データの転送タイミングになると、まず、最も離れているＦＦＣ６２ＫとＦＦＣ６２Ｙを利用するＫ色とＹ色の調整補正データを、ＦＦＣ６２ＫとＦＦＣ６２Ｙを通してＬＥＤアレイヘッド３３ＫｌとＬＥＤアレイヘッド３３Ｙｌへ転送する（ステップＳ２０１）。補正データ転送制御部５７ａは、ＫＹ色とＹの調整補正データの転送を開始すると、調整補正データ転送時間だけ待つ（ウェイト）（ステップＳ２０２）。
【００７７】
補正データ転送制御部５７ａは、調整補正データ転送時間が経過すると、次に、Ｃ色の調整補正データを、ＦＦＣ６２Ｃを通してＬＥＤアレイヘッド３３Ｃｌへ転送する（ステップＳ２０３）。補正データ転送制御部５７ａは、Ｃ色の調整補正データの転送を開始すると、調整補正データ転送時間だけ待つ（ウェイト）（ステップＳ２０４）。
【００７８】
補正データ転送制御部５７ａは、調整補正データ転送時間が経過すると、次に、Ｍ色の調整補正データを、ＦＦＣ６２Ｍを通してＬＥＤアレイヘッド３３Ｍｌへ転送する。補正データ転送制御部５７ａは、Ｍ色の調整補正データの転送が完了すると、データ転送制御処理を終了する（ステップＳ２０５）。
【００７９】
したがって、補正データ転送制御部５７ａは、最も離れたＦＦＣ６２Ｋ、６２Ｙを利用したＫ色とＹ色の調整補正データの転送を同時に行った後、隣接するＦＦＣ６２Ｃ、ＦＦＣ６２Ｍを利用したＣ色とＭ色の調整補正データの転送をタイミングをずらして順次転送することができ、ＦＦＣ６２Ｙ〜６２Ｋ相互間のクロストークの影響を適切に防止して、正確なデータ転送を行うことができるとともに、全色の調整補正データの転送時間を短くすることができる。
【００８０】
さらに、データ転送制御処理は、上記転送方法に限るものではなく、例えば、図１１に示すように、重ね合わされたＦＦＣ６２Ｙ〜６２Ｋのうち、離れている２本のＦＦＣ６２Ｙ〜６２Ｋを通して２色の調整補正データを同時に転送してもよい。
【００８１】
すなわち、補正データ転送制御部５７ａは、図１１に示すように、調整補正データの転送タイミングになると、間にＦＦＣ６２Ｍが介在して離れているＦＦＣ６２ＹとＦＦＣ６２Ｃを利用するＹ色とＣの調整補正データを、ＦＦＣ６２ＹとＦＦＣ６２ＣをしてＬＥＤアレイヘッド３３ＹｌとＬＥＤアレイヘッド３３Ｃｌへ転送し（ステップＳ３０１）、Ｙ色とＣ色の調整補正データの転送を開始すると、調整補正データ転送時間だけ待つ（ウェイト）（ステップＳ３０２）。
【００８２】
補正データ転送制御部５７ａは、調整補正データ転送時間が経過すると、次に、間にＦＦＣ６２Ｃが介在してい離れているＦＦＣ６２ＫとＦＦＣ６２Ｍを利用するＫ色とＭ色の調整補正データを、ＦＦＣ６２ＫとＦＦＣ６２Ｍを通してＬＥＤアレイヘッド３３ＫｌとＬＥＤアレイヘッド３３Ｍｌへ転送し、Ｋ色とＭ色の調整補正データの転送が完了すると、データ転送制御処理を終了する（ステップＳ３０３）。
【００８３】
したがって、補正データ転送制御部５７ａは、重ね合わされたＦＦＣ６２Ｙ〜６２Ｋのうち、離れている２本のＦＦＣ６２Ｙ〜６２Ｋを通して２色ずつの調整補正データを同時に順次転送タイミングをずらして転送することができ、ＦＦＣ６２Ｙ〜６２Ｋ相互間のクロストークの影響を適切に防止して、正確なデータ転送を行うことができるとともに、全色の調整補正データの転送時間をさらに短くすることができる。
【００８４】
また、データ転送制御処理は、上記転送方法に限るものではなく、例えば、図１２に示すように、全てのＦＦＣ６２Ｙ〜６２Ｋを利用して全色の調整補正データを同時に転送した後、最もクロストークの影響を受けやすい上記Ｍ色の調整補正データのみを再転送してもよい。
【００８５】
すなわち、補正データ転送制御部５７ａは、図１２に示すように、調整補正データの転送タイミングになると、全色（Ｋ色、Ｃ色、Ｍ色、Ｙ色）の調整補正データを、ＦＦＣ６２Ｙ〜６２ＫをしてＬＥＤアレイヘッド３３Ｙｌ、３３Ｍｌ、３３Ｃｌ、３３Ｋｌへ転送し（ステップＳ４０１）、全色の調整補正データの転送を開始すると、調整補正データ転送時間だけ待つ（ウェイト）（ステップＳ４０２）。
【００８６】
補正データ転送制御部５７ａは、調整補正データ転送時間が経過すると、次に、最もクロストークの影響を受けやすいＦＦＣ６２Ｍを利用するＭ色の調整補正データを、ＦＦＣ６２Ｍを通してＬＥＤアレイヘッド３３Ｍｌへ転送し、Ｍ色の調整補正データの転送が完了すると、データ転送制御処理を終了する（ステップＳ４０３）。
【００８７】
したがって、補正データ転送制御部５７ａは、重ね合わされた全てのＦＦＣ６２Ｙ〜６２Ｋを利用して全色の調整補正データを同時に転送するとともに、その後に、最もクロストークの影響を受けやすいＭ色の調整補正データのみを再転送することができ、ＦＦＣ６２Ｙ〜６２Ｋ相互間のクロストークの影響を適切に防止して、正確なデータ転送を行うことができるとともに、全色の調整補正データの転送時間をさらに短くすることができる。
【００８８】
なお、上記説明においては、補正データ転送制御部５７ａからＬＥＤアレイヘッド３３Ｙｌ、３３Ｍｌ、３３Ｃｌ、３３Ｋｌへ調整補正データを転送する場合について説明したが、補正データ読出制御部５７ｂが、露光部３３Ｙ、３３Ｍ、３３Ｃ、３３Ｋの補正データ記憶メモリ３３ａから補正データを読み出す場合にも、同様に適用することができる。
【００８９】
また、上記説明においては、画像形成装置１が、搬送ベルト２１を用いて用紙Ｐを画像形成部３０Ｙ、３０Ｍ、３０Ｃ、３０Ｋを順次搬送して該用紙Ｐに直接画像形成部３０Ｙ、３０Ｍ、３０Ｃ、３０Ｋから各色のトナー画像を重ね合わせてカラートナー画像を形成するものに適用している。画像形成装置１としては、上記構成のものに限らず、例えば、図１３に示すように、中間転写ベルト２１ａを用いた画像形成装置１ａであってもよい。なお、図１と同様の構成部分には、同一の符号を付している。この画像形成装置１ａは、駆動ローラ２２と従動ローラ２３に無端リング状の中間転写ベルト２１ａが張り渡されており、この中間転写ベルト２１ａに沿って画像形成部３０Ｙ、３０Ｍ、３０Ｃ、３０Ｋが配列されている。
【００９０】
画像形成装置１ａは、画像形成時、各画像形成部３０Ｙ、３０Ｍ、３０Ｃ、３０Ｋが、図２１中時計方向に回転駆動される感光体３１Ｙ、３１Ｍ、３１Ｃ、３１Ｋを、帯電部３２Ｙ、３２Ｍ、３２Ｃ、３２Ｋで一様に帯電させて、露光部３３Ｙ、３３Ｍ、３３Ｃ、３３Ｋから、各色の画像データで変調された書込光が感光体３１Ｙ、３１Ｍ、３１Ｃ、３１Ｋに照射されて静電潜像が形成されると、該静電潜像の形成された感光体３１Ｙ、３１Ｍ、３１Ｃ、３１Ｋに、現像部３４Ｙ、３４Ｍ、３４Ｃ、３４Ｋで、それぞれＹＭＣＫの各色のトナーを付着させて、各色のトナー画像を形成する。そして、画像形成部３０Ｙ、３０Ｍ、３０Ｃ、３０Ｋは、中間転写ベルト２１ａの背面に配設された転写部３５Ｙ、３５Ｍ、３５Ｃ、３５Ｋが、所定タイミングで順次転写電位を付与して、感光体３１Ｙ、３１Ｍ、３１Ｃ、３１Ｋ上のＹＭＣＫ各色のトナー画像を順次中間転写ベルト２１ａに重ね合わせて転写させる。トナー画像の転写の完了した中間転写ベルト２１ａは、従動ローラ２３と対向する位置に配設されている２次転写ローラ２５と中間転写ベルト２１ａとの間に、給紙部１０から搬送されてきた用紙Ｐに２次転写ローラ２５によって中間転写ローラ２１ａ上のトナー画像を転写する。画像形成装置１は、トナー画像の転写された用紙Ｐを定着部４０に搬送して、上記同様に、定着部４０でトナー画像を用紙に定着させる。
【００９１】
このように、本実施例の画像形成装置１は、複数本の信号線が面状に束ねられた複数のＦＦＣ（信号線束）６２Ｙ〜６２Ｋが、該信号線の方向を合わせて面同士が重ね合わされた状態で配設され、該ＦＦＣ６２Ｙ〜６２Ｋの該信号線を通して、信号を送受信する画像書込制御部５７であって、複数のＦＦＣ６２Ｙ〜６２Ｋを通して送信する信号の送信タイミングを該ＦＦＣ６２Ｙ〜６２Ｋ毎に調整する補正データ転送制御部（送信タイミング調整手段）５７ａと、送信タイミングを、ＦＦＣ６２Ｙ〜６２Ｋ毎に時分割制御する補正データ転送制御部（送信タイミング制御手段）５７ａと、を備えた画像書込制御部５７をデータ転送装置として搭載している。
【００９２】
したがって、ＦＦＣ６２Ｙ〜６２Ｋ相互間における信号の送信タイミングを、ＦＦＣ６２Ｙ〜６２Ｋ相互間でのクロストークの発生を抑制するタイミングとすることができ、複数の信号線が平面状に配置されているＦＦＣ（信号線束）６２Ｙ〜６２Ｋを複数重ね合わせて信号転送を行う場合のクロストークの影響を防止して、正確な信号転送を行うことができる。
【００９３】
また、本実施例の画像形成装置１は、複数本の信号線が面状に束ねられた複数のＦＦＣ６２Ｙ〜６２Ｋが、該信号線の方向を合わせて面同士が重ね合わされた状態で配設され、該ＦＦＣ６２Ｙ〜６２Ｋの該信号線を通して、補正データを複数のＬＥＤアレイヘッド３３Ｙｌ、３３Ｍｌ、３３Ｃｌ、３３Ｋｌに分けて送信するとともに、該ＬＥＤアレイヘッド３３Ｙｌ、３３Ｍｌ、３３Ｃｌ、３３Ｋｌの個々のＬＥＤの点灯制御を行う画像データを送信するデータ転送手段を備えている画像形成装置であって、前記データ転送手段として、上記画像書込制御部５７を備えている。
【００９４】
したがって、ＦＦＣ６２Ｙ〜６２Ｋ相互間におけるＬＥＤアレイヘッド３３Ｙｌ、３３Ｍｌ、３３Ｃｌ、３３Ｋｌへの調整補正データ等の信号の送信タイミングを、ＦＦＣ６２Ｙ〜６２Ｋ相互間でのクロストークの発生を抑制するタイミングとすることができ、ＦＦＣ６２Ｙ〜６２Ｋを複数重ね合わせて、調整補正データの転送を行う場合のクロストークの影響を防止して、正確な信号転送を行うことができる。その結果、縦筋等の画像の劣化を防止することができ、画像品質を向上させることができる。
【００９５】
さらに、本実施例の画像形成装置１は、複数本の信号線が面状に束ねられた複数のＦＦＣ６２Ｙ〜６２Ｋが、該信号線の方向を合わせて面同士が重ね合わされた状態で配設され、該ＦＦＣ６２Ｙ〜６２Ｋの該信号線を通して、信号を送受信する画像書込制御部（データ転送装置）５７におけるデータ転送制御方法であって、複数の前記ＦＦＣ６２Ｙ〜６２Ｋを通して送信する信号の送信タイミングを該ＦＦＣ６２Ｙ〜６２Ｋ毎に調整する送信タイミング調整処理ステップと、該送信タイミング調整処理ステップによる送信タイミングを、ＦＦＣ６２Ｙ〜６２Ｋ毎に時分割制御する送信タイミング制御処理ステップと、を有している。
【００９６】
したがって、ＦＦＣ６２Ｙ〜６２Ｋ相互間における信号の送信タイミングを、ＦＦＣ６２Ｙ〜６２Ｋ相互間でのクロストークの発生を抑制するタイミングとすることができ、複数の信号線が平面状に配置されているＦＦＣ（信号線束）６２Ｙ〜６２Ｋを複数重ね合わせて信号転送を行う場合のクロストークの影響を防止して、正確な信号転送を行うことができる。
【００９７】
また、本実施例の画像形成装置１は、複数本の信号線が面状に束ねられた複数のＦＦＣ６２Ｙ〜６２Ｋが、該信号線の方向を合わせて面同士が重ね合わされた状態で配設され、該ＦＦＣ６２Ｙ〜６２Ｋの該信号線を通して、信号を送受信する画像書込制御部（データ転送装置）５７が、ＣＰＵ等の制御プロセッサに、複数のＦＦＣ６２Ｙ〜６２Ｋを通して送信する信号の送信タイミングを該ＦＦＣ６２Ｙ〜６２Ｋ毎に調整する送信タイミング調整処理と、該送信タイミング調整処理による送信タイミングを、前記ＦＦＣ６２Ｙ〜６２Ｋ毎に時分割制御する送信タイミング制御処理と、を実行させるデータ転送制御プログラムを搭載している。
【００９８】
したがって、ＦＦＣ６２Ｙ〜６２Ｋ相互間における信号の送信タイミングを、ＦＦＣ６２Ｙ〜６２Ｋ相互間でのクロストークの発生を抑制するタイミングとすることができ、複数の信号線が平面状に配置されているＦＦＣ（信号線束）６２Ｙ〜６２Ｋを複数重ね合わせて信号転送を行う場合のクロストークの影響を防止して、正確な信号転送を行うことができる。
【００９９】
さらに、本実施例の画像形成装置１は、前記送信タイミング制御手段としての補正データ転送制御部５７ａが、複数のＦＦＣ６２Ｙ〜６２Ｋに対して、所定の順序で１つのＦＦＣ６２Ｙ〜６２Ｋを通した信号の送信を、開始すると、所定の待ち時間を開けた後、次のＦＦＣ６２Ｙ〜６２Ｋを通した信号の送信を、開始する時分割制御を順次行っている。
【０１００】
したがって、全てのＦＦＣ６２Ｙ〜６２Ｋ間におけるクロストークの発生を確実に防止することができ、正確な信号転送を行うことができる。
【０１０１】
また、本実施例の画像形成装置１は、前記送信タイミング制御手段としての補正データ転送制御部５７ａが、複数のＦＦＣ６２Ｙ〜６２Ｋのうち、重ね合わせ方向で最も離れている２つのＦＦＣ６２Ｙ〜６２Ｋに対して、同時に信号の送信を開始し、その後、他のＦＦＣ６２Ｙ〜６２Ｋに対して、予め設定した所定の順番に信号の送信を順次タイミングをずらして開始している。
【０１０２】
したがって、全てのＦＦＣ６２Ｙ〜６２Ｋ間におけるクロストークの発生を防止するとともに、転送時間を短縮することができ、正確な信号転送を速やかに行うことができる。
【０１０３】
さらに、本実施例の画像形成装置１は、前記送信タイミング制御手段としての補正データ転送制御部５７ａが、複数のＦＦＣ６２Ｙ〜６２Ｋのうち、非接触の所定数のＦＦＣ６２Ｙ〜６２Ｋに対して同時に信号の送信を開始させるとともに、該所定数のＦＦＣ６２Ｙ〜６２Ｋ毎に順次タイミングをずらして信号の送信を開始している。
【０１０４】
したがって、全てのＦＦＣ６２Ｙ〜６２Ｋ間におけるクロストークの発生を防止するとともに、転送時間をより一層短縮することができ、正確な信号転送をより一層速やかに行うことができる。
【０１０５】
また、本実施例の画像形成装置１は、前記送信タイミング制御手段としての補正データ転送制御部５７ａが、全てのＦＦＣ６２Ｙ〜６２Ｋに対して同時に信号の送信を開始させ、その後、該ＦＦＣ６２Ｙ〜６２Ｋのうち、予めクロストークの影響があるＦＦＣ６２Ｙ〜６２Ｋとして設定されているＦＦＣ６２Ｙ〜６２Ｋに対して、再度、信号の送信を行なわせている。
【０１０６】
したがって、全てのＦＦＣ６２Ｙ〜６２Ｋ間におけるクロストークの発生による転送データの異常を補正するとともに、転送時間をより一層短縮することができ、正確な信号転送をより一層速やかに行うことができる。
【０１０７】
さらに、本実施例の画像形成装置１は、前記データ転送装置としての画像書込制御部５７が、複数のＦＦＣ６２Ｙ〜６２Ｋを通して、主データ信号である画像信号と該画像信号を補正する調整補正データ（補正データ信号）を送信し、前記送信タイミング制御手段としての補正データ転送制御部５７ａが、画像信号の送信タイミングに応じて、調整補正データ信号の送信タイミングを調整している。
【０１０８】
したがって、主データ信号である画像信号に対して、補正を行う調整補正データをクロストークの影響を受けることなく正確に転送することができ、画像信号を正確に補正することができる。
【０１０９】
また、本実施例の画像形成装置１は、前記信号線束が、フレキシブルフラットケーブルである。
【０１１０】
したがって、信号線束としてフレキシブルフラットケーブルを用いた信号転送におけるクロストークの発生を防止することができ、フレキシブルフラットケーブルを用いた正確な信号転送を行うことができる。
【０１１１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１２】
１  画像形成装置
１０  給紙部
１１  給紙カセット
１２  給紙ローラ
１３  分離ローラ
２０  搬送ベルト機構部
２１  搬送ベルト
２１ａ  中間転写ベルト
２２  駆動ローラ
２３  従動ローラ
２４  ガイド板
３０Ｙ、３０Ｍ、３０Ｃ、３０Ｋ  画像形成部
３１Ｙ、３１Ｍ、３１Ｃ、３１Ｋ  感光体
３２Ｙ、３２Ｍ、３２Ｃ、３２Ｋ  帯電部
３３Ｙ、３３Ｍ、３３Ｃ、３３Ｋ  露光部
３３Ｙｌ、３３Ｍｌ、３３Ｃｌ、３３Ｋｌ  ＬＥＤアレイヘッド
３３ａ  補正データ記憶メモリ
３３ｂ  ドライバ
３４Ｙ、３４Ｍ、３４Ｃ、３４Ｋ  現像部
３５Ｙ、３５Ｍ、３５Ｃ、３５Ｋ  転写部
３６Ｙ、３６Ｍ、３６Ｃ、３６Ｋ  クリーニング部
４０  定着部
４１  定着ローラ
４２  加圧ローラ
５０  制御部
５１  コンピュータインターフェイス部
５２  作像プロセス部
５３  ＣＴＬ
５４  操作表示部
５５  プリントジョブ管理部
５６  画像読読取部
５７  画像書込制御部（データ転送装置）
５７ａ  補正データ転送制御部（送信タイミング調整手段、送信タイミング制御手段）
５７ｂ  補正データ読出制御部
５８  ラインメモリ
５９  記憶部
６０  板金ボックス
６０ｕ  上板
６０ａ、６０ａａ、６０ａｂ、６０ａｃ  開口部
６１  制御基板
６２Ｙ、６２Ｍ、６２Ｃ、６２Ｋ  ＦＦＣ（信号線束）
６３ａ、６３ｂ  側板
６４  底板金
６５  取付具
６６ａ〜６６ｄ  コネクタ
６７  シールドシート
６８  導電性テープ
６９  接地部材
【先行技術文献】
【特許文献】
【０１１３】
【特許文献１】特開２０１０−２１７３８１号公報
【図１】
2014110528.tif 000003
【図２】
2014110528.tif 000004
【図３】
2014110528.tif 000005
【図４】
2014110528.tif 000006
【図５】
2014110528.tif 000007
【図６】
2014110528.tif 000008
【図７】
2014110528.tif 000009
【図９】
2014110528.tif 000010
【図１０】
2014110528.tif 000011
【図１１】
2014110528.tif 000012
【図１２】
2014110528.tif 000013
【図１３】
2014110528.tif 000014
【図８】
2014110528.tif 000015